【手続補正書】
【提出日】平成21年7月16日(2009.7.16)
【手続補正１】
【補正対象書類名】特許請求の範囲
【補正対象項目名】全文
【補正方法】変更
【補正の内容】
【特許請求の範囲】
【請求項１】
光分解及び酸化的劣化からボディケア及び家庭用品を保護するための下記式（１）で表される安定剤の使用
【化１】
2009503172.tif 000001
［式中、
Ｌ1、Ｌ2又はＬ3は、互いに独立して水素原子；ヒドロキシ基；炭素原子数１ないし２２
のアルキル基；炭素原子数１ないし２２のアルコキシ基；炭素原子数２ないし２２のアルケニル基；炭素原子数２ないし２２のアルキニル基；炭素原子数３ないし１２のシクロアルキル基；炭素原子数３ないし１２のシクロアルケニル基；炭素原子数７ないし２０のアラルキル基；炭素原子数１ないし２０のヘテロアルキル基；炭素原子数３ないし１２のシクロへテロアルキル基、炭素原子数５ないし１１のヘテロアラルキル基；炭素原子数６ないし２０のアリール基；炭素原子数６ないし２０のアリール−炭素原子数１ないし５のアルケニレン基；炭素原子数４ないし９のヘテロアリール基；ＣＮ；−（ＣＨ2）t−ＯＲ9
；又はＣＯＯＲ9を表し、
Ｒ4は、ＣＮ；−ＣＯＲ7；−ＣＯＯＲ7；−ＳＯ2Ｒ7；−ＣＯＮＲ7Ｒ8；炭素原子数１な
いし２２のアルキル基；炭素原子数２ないし２２のアルケニル基；炭素原子数２ないし２２のアルキニル基；炭素原子数３ないし１２のシクロアルキル基；炭素原子数３ないし１２のシクロアルケニル基；炭素原子数７ないし２０のアラルキル基；炭素原子数１ないし２０のヘテロアルキル基；炭素原子数３ないし１２のシクロへテロアルキル基；炭素原子数５ないし１１のヘテロアラルキル基；炭素原子数６ないし２０のアリール基；炭素原子数１ないし１のアルキルカルボニルアミノ−炭素原子数６ないし２０のアリール基；炭素原子数４ないし９のヘテロアリール基を表し、
Ｒ5、Ｒ6、Ｒ7及びＲ8は、互いに独立して水素原子；炭素原子数１ないし２２のアルキル
基；炭素原子数２ないし２２のアルケニル基；炭素原子数２ないし２２のアルキニル基；炭素原子数３ないし１２のシクロアルキル基；炭素原子数３ないし１２のシクロアルケニル基；炭素原子数７ないし２０のアラルキル基；ＣＯＲ9；−（ＣＯ）−ＣＯＯ−Ｒ9；炭素原子数１ないし２０のヘテロアルキル基；炭素原子数３ないし１２のシクロへテロアルキル基；炭素原子数５ないし１１のヘテロアラルキル基；炭素原子数６ないし２０のアリール基；炭素原子数１ないし５のアルコキシ−炭素原子数６ないし２０のアリール基；−（ＣＨ2）t−ＳＯ3Ｈ；−（ＣＨ2）t−（ＣＯ）−ＯＲ9；−（ＣＨ2）t−Ｏ−炭素原子数６ないし１０のアリール基；−（ＣＨ2）vＣＯＯ−Ｒ9；炭素原子数４ないし９のヘテロ
アリール基；−（ＣＨ2）u−ＳｉＲ15Ｒ16Ｒ17；又は−Ｘ−Ｓｉｌ基を表し、
Ｒ9は、水素原子；炭素原子数１ないし２２のアルキル基；炭素原子数２ないし２２のア
ルケニル基；炭素原子数２ないし２２のアルキニル基；炭素原子数３ないし１２のシクロアルキル基；炭素原子数３ないし１２のシクロアルケニル基；炭素原子数７ないし２０のアラルキル基；炭素原子数１ないし２０のヘテロアルキル基；炭素原子数３ないし１２のシクロへテロアルキル基；炭素原子数５ないし１１のヘテロアラルキル基；炭素原子数６ないし２０のアリール基又は炭素原子数４ないし９のヘテロアリール基を表し、又は
Ｌ1及びＬ2、Ｌ1及びＬ3、Ｌ2及びＬ3、Ｌ1及びＲ4、Ｌ2及びＲ4、Ｌ1及びＲ1、Ｌ2及び
Ｒ1、Ｌ3及びＲ1、Ｌ3及びＲ5、Ｒ3及びＲ4、Ｒ1及びＲ2、Ｒ7及びＲ8、Ｒ5及びＲ6は、
一緒になって１、２、３又は４炭素環又はＮ、Ｏ及び／又はＳ−複素環を形成するために結合し得、さらに他の芳香族環と融合し得、及びＮ−複素環における各々のＮは未置換であるか又はＲ10によって置換し得、
及び各々のアルキル基、アルケニル基、アルキニル基、シクロアルキル基又はシクロアルキレン基は未置換であるか又は１つ以上のＲ11によって置換し得、
及び各々のアリール基、ヘテロアリール基、アラルキル基、アリーレン基、ヘテロアリーレン基又はアラルキレン基は未置換であるか又は１つ以上のＲ12によって置換し得、
Ｒ10は、Ｒ13；ＣＯＲ13；ＣＯＯＲ13；又はＣＯＮＲ13Ｒ14を表し、
Ｒ11は、ハロゲン原子、ＯＨ；ＮＲ15Ｒ16；Ｏ−Ｒ15；Ｓ−Ｒ15；Ｏ−ＣＯ−Ｒ15；ＣＯ−Ｒ15；オキソ基；チオノ基；ＣＮ；ＣＯＯＲ15；ＣＯＮＲ15Ｒ16；ＳＯ2ＮＲ15Ｒ16；
ＳＯ2Ｒ15；ＳＯ3Ｒ15；ＳｉＲ15Ｒ16Ｒ17；ＯＳｉＲ15Ｒ16Ｒ17；ＰＯＲ15Ｒ16又は−Ｘ−Ｓｉｌ基を表し、
Ｒ12は、炭素原子数１ないし１２のアルキルチオ基；炭素原子数３ないし１２のシクロアルキルチオ基；炭素原子数１ないし１２のアルケニルチオ基；炭素原子数３ないし１２のシクロアルケニルチオ基；炭素原子数１ないし１２のアルコキシ基；炭素原子数３ないし１２のシクロアルコキシ基；炭素原子数１ないし１２のアルケニルオキシ基；又は未置換であるか又は１つ以上のＲ11によって置換し得る炭素原子数３ないし１２のシクロアルケニルオキシ基；ハロゲン原子；ＣＮ；ＳＨ；ＯＨ；ＣＨＯ；Ｒ18；ＯＲ18；ＳＲ18；Ｃ（Ｒ18）＝ＣＲ19Ｒ20；Ｏ−ＣＯ−Ｒ19；ＮＲ18Ｒ19；ＣＯＮＲ18Ｒ19；ＳＯ2ＮＲ18Ｒ19
；ＳＯ2Ｒ18；ＣＯＯＲ18；ＯＣＯＯＲ18；ＮＲ18ＣＯＲ19；ＮＲ19ＣＯＯＲ20；ＳｉＲ15Ｒ16Ｒ17；ＯＳｉＲ15Ｒ16Ｒ17；Ｐ（＝Ｏ）Ｒ19Ｒ20又は−Ｘ−Ｓｉｌ基を表し、
Ｒ13、Ｒ14、Ｒ15、Ｒ16、Ｒ17、Ｒ18、Ｒ19及びＲ20は、互いに独立して水素原子；炭素原子数１ないし２２のアルキル基；炭素原子数３ないし１２のシクロアルキル基；炭素原子数２ないし１２のアルケニル基；炭素原子数３ないし１２のシクロアルケニル基；炭素原子数６ないし１４のアリール基；炭素原子数４ないし１２のヘテロアリール基；炭素原子数７ないし１８のアラルキル基又は炭素原子数５ないし１６のヘテロアラルキル基を表し、又は
Ｒ13及びＲ14、Ｒ15及びＲ16、Ｒ16及びＲ17及び／又はＲ18及びＲ19は、一緒になって未置換の又は炭素原子数１ないし４のアルキル基によって置換されるピロリジン基、ピペリジン基、ピペラジン基又はモルホリン基を形成するために結合し得、
Ｘはリンカーを表し、及び
Ｓｉｌは、シラン部分、オリゴシロキサン部分又はポリシロキサン部分を表し、
ｔは０ないし１２の数を表し、
ｕは１ないし１２の数を表し、
ｖは０ないし１２の数を表し、
ｎ＝１の場合
Ｒ1及びＲ2は、互いに独立して水素原子；炭素原子数１ないし２２のアルキル基；ヒドロキシ−炭素原子数１ないし２２のアルキル基；炭素原子数２ないし２２のアルケニル基；炭素原子数２ないし２２のアルキニル基；炭素原子数３ないし１２のシクロアルキル基；炭素原子数３ないし１２のシクロアルケニル基；炭素原子数７ないし２０のアラルキル基；炭素原子数１ないし２０のヘテロアルキル基；炭素原子数３ないし１２のシクロへテロアルキル基；炭素原子数６ないし２０のアリール基；炭素原子数５ないし１１のヘテロアラルキル基；炭素原子数４ないし９のヘテロアリール基；又は式
【化２】
2009503172.tif 000002
で表される基を表し、
Ｒ21、Ｒ22、Ｒ23は、互いに独立して炭素原子数１ないし２２のアルキル基；又は炭素原子数１ないし２２のアルコキシ基を表し、
ａはリンカーＸへの結合を表し、
Ｒ3はＣＮ；ＮＲ5Ｒ6；−ＣＯＲ5；−ＣＯＯＲ5；−ＳＯ2Ｒ5；−ＣＯＮＲ5Ｒ6；炭素原
子数６ないし２０のアリール基；又は炭素原子数４ないし９のヘテロアリール基を表し、ｐは０ないし１００の数を表し、
ｑは１ないし２０の数を表し、
ｓは０ないし４の数を表し、
ｎ＝２の場合
Ｒ1及びＲ2は各々、１つ以上の酸素原子によって中断し得る炭素原子数１ないし５のアルキレン基から選択される二価の基を表し、又は
Ｒ1及びＲ2は窒素原子と一緒になって、六員環の複素環を形成し；及び同時にＲ3はｎ＝
１に関して定義される通りであり、又は
Ｒ3は式−ＣＯ−Ｖ1−炭素原子数１ないし１２のアルキレン−Ｗ1−＊（式中、アステリ
スクは２番目のＲ3への結合を示し、Ｖ1は−Ｏ−；又は−ＮＲ7−；又は直接結合を表し
、Ｗ1は２番目のＲ3への結合を示すが、ここでＷ1は直接結合を表すか、又は炭素原子数
１ないし１２のアルキレン基から選択されるか；又はフェニレン基を表す。）、及び
Ｒ1及びＲ2は同時にｎ＝１に関して定義される通りであり、
ｎ＝３の場合
Ｒ1、Ｒ2又はＲ3のうち１つは三価の基を表し、
ｎ＝４の場合
Ｒ1又はＲ2は、式
【化３】
2009503172.tif 000003
（式中、アスタリスク＊は２番目、３番目及び４番目のＲ1／Ｒ2への結合を示し、Ｗ2は
【化４】
2009503172.tif 000004
を表す。）で表される基を表し、
Ｒ3はｎ＝１に関して定義される通りであるか、又は
Ｒ3は式
【化５】
2009503172.tif 000005
（式中、アスタリスク＊は２番目（２）、３番目（３）及び４番目（４）のＲ3への結合
を示し、及びＷ3は
【化６】
2009503172.tif 000006
を表す。）を表す基を表し、又は
Ｒ1又はＲ2は、式
【化７】
2009503172.tif 000007
（式中、アスタリスク＊は２番目、３番目及び４番目のＲ1／Ｒ2への結合を示し、Ｒ24は炭素原子数１ないし２２のアルキル基；又は炭素原子数１ないし２２のアルコキシ基を表す。）を表す基を表す。］。
【請求項２】
請求項１に記載の少なくとも１種の光安定剤を含むボディケア製品。
【請求項３】
請求項１に記載の少なくとも１種の光安定剤を含む家庭用清浄剤及び処理剤。
【請求項４】
式
【化８】
2009503172.tif 000008
［式中、Ｒ3はＣＮ；ＮＲ5Ｒ6；−ＣＯＲ5；−ＣＯＯＲ5；−ＳＯ2Ｒ5；−ＣＯＮＲ5Ｒ6
；炭素原子数６ないし２０のアリール基又は炭素原子数４ないし９のヘテロアリール基を表し、
Ｒ4は、ＣＮ；−ＣＯＲ7；−ＣＯＯＲ7；−ＣＯＮＲ7Ｒ8；炭素原子数１ないし２２のア
ルキル基；炭素原子数２ないし２２のアルケニル基；炭素原子数２ないし２２のアルキニル基；炭素原子数３ないし１２のシクロアルキル基；炭素原子数３ないし１２シクロアルケニル基；炭素原子数７ないし２０のアラルキル基；炭素原子数１ないし２０のヘテロアルキル基；炭素原子数３ないし１２のシクロへテロアルキル基；炭素原子数５ないし１１のヘテロアラルキル基；炭素原子数６ないし２０のアリール基；炭素原子数１ないし１のアルキルカルボニルアミノ−炭素原子数６ないし２０のアリール基；炭素原子数４ないし９のヘテロアリール基を表し、
Ｒ5、Ｒ6、Ｒ7及びＲ8は、互いに独立して、水素原子；炭素原子数１ないし２２のアルキル基；炭素原子数２ないし２２のアルケニル基；炭素原子数２ないし２２のアルキニル基；炭素原子数３ないし１２のシクロアルキル基；炭素原子数３ないし１２のシクロアルケニル基；炭素原子数７ないし２０のアラルキル基；ＣＯＲ9；−（ＣＯ）−ＣＯＯ−Ｒ9；炭素原子数１ないし２０のヘテロアルキル基；炭素原子数３ないし１２のシクロへテロアルキル基；炭素原子数５ないし１１のヘテロアラルキル基；炭素原子数６ないし２０のアリール基；炭素原子数１ないし５のアルコキシ−炭素原子数６ないし２０のアリール基；−（ＣＨ2）t−ＳＯ3Ｈ；−（ＣＨ2）t−（ＣＯ）−ＯＲ9；−（ＣＨ2）t−Ｏ−炭素原子数６ないし１０のアリール基；−（ＣＨ2）vＣＯＯ−Ｒ9；炭素原子数４ないし９のヘテ
ロアリール基；−（ＣＨ2）u−ＳｉＲ15Ｒ16Ｒ17；又は−Ｘ−Ｓｉｌ基を表し、
Ｒ9は、水素原子；炭素原子数１ないし２２のアルキル基；炭素原子数２ないし２２のア
ルケニル基；炭素原子数２ないし２２のアルキニル基；炭素原子数３ないし１２のシクロアルキル基；炭素原子数３ないし１２のシクロアルケニル基；炭素原子数７ないし２０のアラルキル基；炭素原子数１ないし２０のヘテロアルキル基；炭素原子数３ないし１２のシクロへテロアルキル基；炭素原子数５ないし１１のヘテロアラルキル基；炭素原子数６ないし２０のアリール基又は炭素原子数４ないし９のヘテロアリール基を表し、又は
Ｌ1及びＬ3は水素原子を表すか、又は一緒になって１，２，３又は４の炭素環又はＮ，Ｏ及び／又はＳ−複素環を形成するために結合し得、さらに他の芳香族環と融合し得、及びＮ−複素環における各々のＮは未置換であるか又はＲ10によって置換し得、
及び各々のアルキル基、アルケニル基、アルキニル基、シクロアルキル基又はシクロアルキレン基は未置換であるか又は１つ以上のＲ11によって置換し得、
及び各々のアリール基、ヘテロアリール基、アラルキル基、アリーレン基、ヘテロアリーレン基又はアラルキレン基は未置換であるか又は１つ以上のＲ12によって置換し得、
Ｒ10は、Ｒ13；ＣＯＲ13；ＣＯＯＲ13；又はＣＯＮＲ13Ｒ14を表し、
Ｒ11は、ハロゲン原子；ＯＨ；ＮＲ15Ｒ16；Ｏ−Ｒ15；Ｓ−Ｒ15；ＣＯ−Ｒ15；オキソ基；チオノ基；ＣＮ；ＣＯＯＲ15；ＣＯＮＲ15Ｒ16；ＳＯ2ＮＲ15Ｒ16；ＳＯ2Ｒ15；ＳＯ3
Ｒ15；ＳｉＲ15Ｒ16Ｒ17；ＯＳｉＲ15Ｒ16Ｒ17；ＰＯＲ15Ｒ16；又は−Ｘ−Ｓｉｌ基を表し、
Ｒ12は、炭素原子数１ないし１２のアルキルチオ基；炭素原子数３ないし１２のシクロア
ルキルチオ基；炭素原子数１ないし１２のアルケニルチオ基；炭素原子数３ないし１２のシクロアルケニルチオ基；炭素原子数１ないし１２のアルコキシ基；炭素原子数３ないし１２のシクロアルコキシ基；炭素原子数１ないし１２のアルケニルオキシ基；又は未置換の又は１つ以上のＲ11によって置換し得る炭素原子数３ないし１２のシクロアルケニルオキシ基；ハロゲン原子；ＣＮ；ＳＨ；ＯＨ；ＣＨＯ；Ｒ18；ＯＲ18；ＳＲ18；Ｃ（Ｒ18）＝ＣＲ19Ｒ20；Ｏ−ＣＯ−Ｒ19；ＮＲ18Ｒ19；ＣＯＮＲ18Ｒ19；ＳＯ2ＮＲ18Ｒ19；ＳＯ2Ｒ18；ＣＯＯＲ18；ＯＣＯＯＲ18；ＮＲ18ＣＯＲ19；ＮＲ19ＣＯＯＲ20；ＳｉＲ15Ｒ16Ｒ17；ＯＳｉＲ15Ｒ16Ｒ17；Ｐ（＝Ｏ）Ｒ19Ｒ20；又は−Ｘ−Ｓｉｌ基を表し、
Ｒ13、Ｒ14、Ｒ15、Ｒ16、Ｒ17、Ｒ18、Ｒ19及びＲ20は、互いに独立して、水素原子；炭素原子数１ないし２２のアルキル基；炭素原子数３ないし１２のシクロアルキル基；炭素原子数２ないし１２のアルケニル基；炭素原子数３ないし１２のシクロアルケニル基；炭素原子数６ないし１４のアリール基；炭素原子数４ないし１２のヘテロアリール基；炭素原子数７ないし１８のアラルキル基又は炭素原子数５ないし１６のヘテロアラルキル基を表し、又は
Ｒ13及びＲ14、Ｒ15及びＲ16、Ｒ16及びＲ17及び／又はＲ18及びＲ19は、一緒になって未置換の又は炭素原子数１ないし４のアルキルに置換されたピロリジン基、ピペリジン基、ピペラジン基又はモルホリン基を形成するために結合し得、
Ｘはリンカーを表し、及び
Ｓｉｌはシラン部分、オリゴシロキサン部分及びポリシロキサン部分を表し、
ｔは、０ないし１２の数を表し、
ｕは、１ないし１２の数を表し、
ｖは、０ないし１２の数を表し、
ｎ＝１の場合、
Ｒ1及びＲ2は、互いに独立して、水素原子；炭素原子数１ないし２２のアルキル基；ヒドロキシ−炭素原子数１ないし２２のアルキル基；炭素原子数２ないし２２のアルケニル基；炭素原子数２ないし２２のアルキニル基；炭素原子数３ないし１２のシクロアルキル基；炭素原子数３ないし１２のシクロアルケニル基；炭素原子数７ないし２０のアラルキル基；炭素原子数１ないし２０のヘテロアルキル基；炭素原子数３ないし１２のシクロへテロアルキル基；炭素原子数６ないし２０のアリール基；炭素原子数５ないし１１のヘテロアラルキル基；炭素原子数４ないし９のヘテロアリール基又は式
【化９】
2009503172.tif 000009
で表される基を表し、
Ｒ21、Ｒ22、Ｒ23は、互いに独立して、炭素原子数１ないし２２のアルキル基又は炭素原子数１ないし２２のアルコキシ基を表し、
ｐは０ないし１００の数を表し、
ｑは１ないし２０の数を表し、
ｓは０ないし４の数を表し、
Ｒ3は、ＣＮ；ＮＲ5Ｒ6；−ＣＯＲ5；−ＣＯＯＲ5；−ＳＯ2Ｒ5；−ＣＯＮＲ5Ｒ6；炭素
原子数６ないし２０のアリール基又は炭素原子数４ないし９のヘテロアリール基を表し、ｎ＝２の場合、
Ｒ1及びＲ2は、それぞれ１つ以上の酸素原子によって中断し得る炭素原子数１ないし５の
アルキレン基から選ばれる二価の基を表すか、又は
Ｒ1及びＲ2は、窒素原子と一緒になって６員環の複素環を形成し、及び同時にＲ3はｎ＝
１に関して定義される通りであり、又は
Ｒ3は、式−ＣＯ−Ｖ1−炭素原子数１ないし１２のアルキレン−Ｗ1−＊（式中、アスタ
リスク＊は２番目のＲ3への結合を示し、Ｖ1は、−Ｏ−；又は−ＮＲ7−；又は直接結合
を表し、
Ｗ1は、２番目のＲ3への結合を表すが、ここでＷ1は直接結合を表すか、又は炭素原子数
１ないし１２のアルキレン基から選択されるか又はフェニレン基を表す。）で表される二価の基を表し、
及び
Ｒ1及びＲ2は、同時にｎ＝１に関して定義される通りであり、
ｎ＝３の場合、
Ｒ1、Ｒ2又はＲ3のうち１つは三価の基を表し、
ｎ＝４の場合、
Ｒ1又はＲ2は、式
【化１０】
2009503172.tif 000010
（式中、アスタリスク＊は２番目、３番目及び４番目のＲ1／Ｒ2への結合を表し、Ｗ2は
、
【化１１】
2009503172.tif 000011
を表す。）で表される基を表し、
Ｒ3はｎ＝１に関して定義される通りであるか、又は
Ｒ3は式
【化１２】
2009503172.tif 000012
（式中、アスタリスク＊は２番目（２）、３番目（３）及び４番目（４）のＲ3への結合
を表し、Ｗ3は、
【化１３】
2009503172.tif 000013
を表す。）で表される基を表し、又は
Ｒ1又はＲ2は、式
【化１４】
2009503172.tif 000014
（式中、アスタリスク＊は２番目、３番目及び４番目のＲ1／Ｒ2への結合を表し、Ｒ24は炭素原子数１ないし２２のアルキル基又は炭素原子数１ないし２２のアルコキシ基を表す。）で表される基を表し、
ここで基Ｒ1、Ｒ2、Ｒ3又はＲ4のうち少なくとも１つはシリコン有機化合物を表す。］で表される化合物。